(57)【要約】【課題】例えば、異なる機種間で共通使用可能な遊技部品に不正検知センサを取り付けることが可能な遊技機を提供する。【解決手段】パチンコ遊技機において、左装飾部材２２が異なる機種間で共通使用可能に構成されている。また、不正検知センサ２００が左装飾部材２２に取り付けられたセンサベース部材１００に取り付けられるようになっている。また、センサベース部材１００には、不正検知センサ２００を取り付け可能なセンサ取付部１１０，１２０が２箇所設けられている。そして、不正検知センサ２００を取り付けるべきでないセンサ取付部１１０，１２０に、取付阻止部１１５，１２５が設けられて、不正検知センサ２００の取り付けを阻止している。【選択図】図８
2015073668.tif 000002
【特許請求の範囲】
【請求項１】
遊技部品に取り付けられ、遊技者による所定の不正行為を検知する不正検知センサを備え、
前記遊技部品には、前記不正検知センサを取り付け可能なセンサ取付部が複数設けられており、
該複数の前記センサ取付部のうちの前記不正検知センサを取り付けるべきでない前記センサ取付部に対する前記不正検知センサの取り付けを阻止する取付阻止部が設けられたことを特徴とする遊技機。
【請求項２】
前記センサ取付部及び前記取付阻止部は樹脂で一体形成されたことを特徴とする請求項１に記載の遊技機。
【発明の詳細な説明】
【技術分野】
【０００１】
本発明は、遊技機に関し、例えば、異なる機種間で共通使用可能な遊技部品を備えた遊技機に関するものである。
【背景技術】
【０００２】
従来、パチンコ遊技機等の遊技機においては、装飾部材を取り付けるベース部材等の遊技部品を、異なる機種間で共通使用可能に構成したものが提案されている（例えば、特許文献１参照。）。
【０００３】
また、従来、パチンコ遊技機等の遊技機においては、遊技者の不正行為を検知するための不正検知センサを、装飾部材等の遊技部品の裏側に設けたものが提案されている（例えば、特許文献２参照。）。
【先行技術文献】
【特許文献】
【０００４】
【特許文献１】特開２００８−１６１４６５号公報
【特許文献２】特開２０１０−２９３９１号公報
【発明の概要】
【発明が解決しようとする課題】
【０００５】
ここで、特許文献１に示すような異なる機種間で共通使用可能な遊技部品に、特許文献２に示すようにセンサ取付部を設けて不正検知センサを取り付け可能とすることが考えられる。しかしながら、この構成では、機種間で不正検知センサの配置位置を変更する必要が生じた場合に対応できない、という問題が生じる。
【０００６】
本発明は、このような事情に鑑みてなされたものであり、例えば、異なる機種間で共通使用可能な遊技部品に不正検知センサを取り付けることが可能な遊技機を提供することを目的とする。
【課題を解決するための手段】
【０００７】
かかる課題を解決するために、本発明の請求項１に記載の発明は、遊技部品に取り付けられ、遊技者による所定の不正行為を検知する不正検知センサを備え、前記遊技部品には、前記不正検知センサを取り付け可能なセンサ取付部が複数設けられており、該複数の前記センサ取付部のうちの前記不正検知センサを取り付けるべきでない前記センサ取付部に対する前記不正検知センサの取り付けを阻止する取付阻止部が設けられた遊技機としたことを特徴とする。
【０００８】
請求項１に係る発明によれば、例えば、異なる機種間で共通使用可能な遊技部品に不正検知センサを取り付けることが可能となる。
【０００９】
また、本発明の請求項２に記載の発明は、請求項１に記載の遊技機において、前記センサ取付部及び前記取付阻止部は樹脂で一体形成されたことを特徴とする。
【００１０】
請求項２に係る発明によれば、センサ取付部を成形するための金型を操作することで何れのセンサ取付部に取付阻止部を設けるかを変更可能となり、金型を機種間で共通化することが可能になる。
【図面の簡単な説明】
【００１１】
【図１】本発明の実施の形態におけるパチンコ遊技機の正面図である。
【図２】同パチンコ遊技機の遊技盤ユニットの斜視図である。
【図３】図２の遊技盤ユニットの分解斜視図である。
【図４】同パチンコ遊技機の左装飾部材の裏面図である。
【図５】図４からセンサベース部材を取り外した状態の裏面図である。
【図６】同パチンコ遊技機のセンサベース部材の斜視図である。
【図７】同パチンコ遊技機のセンサベース部材の下部センサ取付部に不正検知センサを取り付けた状態の正面図である。
【図８】図７の裏面図である。
【図９】同パチンコ遊技機のセンサベース部材の右側面図である。
【図１０】同パチンコ遊技機のセンサベース部材の上部センサ取付部に不正検知センサを取り付けた状態の正面図である。
【図１１】図１０の裏面図である。
【発明を実施するための形態】
【００１２】
以下、本発明の実施の形態における遊技機として、パチンコ遊技機を例にして図面を参照しながら説明する。なお、以下の説明では、パチンコ遊技機を遊技者から見て、手前側をパチンコ遊技機の前側（表面側）とし、奥側をパチンコ遊技機の後側（裏面側）として、前後方向を規定する。また、パチンコ遊技機を遊技者から見て、左手側をパチンコ遊技機の左側とし、右手側をパチンコ遊技機の右側として、左右方向を規定する。
【００１３】
まず、本実施の形態におけるパチンコ遊技機全体の概略構成について、図１〜図３を用いて説明する。図１は、本実施の形態におけるパチンコ遊技機の正面図であり、図２は、同パチンコ遊技機の遊技盤ユニット５の斜視図であり、図３は、図２の遊技盤ユニット５の分解斜視図である。
【００１４】
本実施の形態におけるパチンコ遊技機は、図１に示すように、外枠１、前枠２、窓枠３及び当該窓枠３に覆われた遊技盤６を含む遊技盤ユニット５（図２）などを備えている。また、図示は省略するが、パチンコ遊技機の裏面には、液晶ディスプレイ型の表示装置２０（図２）等の表示制御や可動演出装置（図示省略）及びＬＥＤなどの発光装置（図示省略）等による遊技演出の制御を行う表示演出サブ制御基板等のサブ制御基板、入賞時におけるパチンコ遊技機の動作等を含むパチンコ遊技機の主要な動作を制御する主制御基板、遊技球の払い出し動作を制御する払出基板、各基板等に電源を供給する電源基板等の各種基板が取り付けられている。
【００１５】
具体的に、外枠１は、図１に示すように、パチンコホールの台島に設置されており、前後面が開口するように四角形状に形成されている。前枠２は、外枠１の前端面に左側辺部の垂直な軸を中心に回動可能に装着されている。また、図１に示すように、この前枠２には、窓枠３と、下皿ユニット４と、遊技盤６を含む遊技盤ユニット５（図２）とが取り付けられている。
【００１６】
窓枠３は前枠２の前面に装着されている。この窓枠３は前枠２と一体となって、前記した軸を中心に回動可能となっている。窓枠３の中央には、図１に示すように、正面視で略円形状の窓枠開口部７が形成されている。この窓枠開口部７は、ガラス又はアクリル等の透明板８により被覆されている。また、窓枠開口部７の下方には、上皿ユニット９が配設されており、ここに、賞球や貸球を受けて貯留し、当該遊技球を発射装置（図示省略）に導く上皿１０が配置されている。また、窓枠開口部７の左右上方には、スピーカ１１がそれぞれ配設されている。また、窓枠３には複数の装飾ＬＥＤ（図示省略）が配設されている。
【００１７】
下皿ユニット４は、図１に示すように、前枠２の下部であって窓枠３の下方に取り付けられている。この下皿ユニット４の中央部には、上皿１０から溢れた遊技球が貯留される下皿１２が配設されている。また、下皿ユニット４の右部であって下皿１２の右方には、上皿１０に貯留された遊技球を後述する遊技領域６Ａに発射するための発射装置を遊技者が操作する操作ハンドル１４が配設されている。
【００１８】
遊技盤ユニット５は、図２及び図３に示すように、遊技球が転動する遊技領域６Ａを有する遊技盤６を前側に有し、遊技演出に関する画像を表示する表示装置２０を後側に有しており、遊技盤６と表示装置２０の間に、当該表示装置２０を裏側から取り付けると共に遊技盤６などを表側から取り付けるベースとなる裏箱部材２１、当該裏箱部材２１の表側に取り付けられて遊技盤６の裏側に配置される左装飾部材２２と右装飾部材２３と上装飾部材２４、同じく裏箱部材２１の表側に取り付けられて遊技盤６の裏側に配置されて発光演出を行う発光演出装置２５を有する構成となっている。そして、裏箱部材２１に、裏側から表示装置２０を取り付け、表側から発光演出装置２５を取り付けた上で、左装飾部材２２と右装飾部材２３と上装飾部材２４を取り付け、さらに表側から遊技盤６を取り付けて、これらの部材が一体化した遊技盤ユニット５となっている。
【００１９】
また、発光演出装置２５は、無色透明の導光板２５Ａと、この導光板２５Ａの上部端面と対向するように配置されたＬＥＤ発光基板２５Ｂと、当該ＬＥＤ発光基板２５Ｂを前後から挟み込んでＬＥＤ発光基板２５Ｂの一部と導光板２５Ａの上部端面を覆う遮光カバー部材２５Ｃ，２５Ｄとを有しており、これらが一体に組み付けられて発光演出装置２５を構成している。そして、ＬＥＤ発光基板２５Ｂから導光板２５Ａの上部端面に光を入射させ、その光が導光板２５Ａの所定箇所で反射して前方に導光されることで、前方の遊技者からホログラムのように浮き上がった所定の図形等が視認可能となるように構成されている。
【００２０】
また、図５に示すように、本実施の形態の左装飾部材２２の裏面の所定位置には、センサベース部材取付部２２Ａが設けられており、当該センサベース部材取付部２２Ａには、図４に示すように、センサベース部材１００が取り付けられている。このセンサベース部材１００は、遊技者の不正行為を検知する不正検知センサ２００を取り付けるためのベース部材である。本実施の形態では、左装飾部材２２を介して、図２に示すワープ通路１８のワープ入口１８Ａ付近に、不正検知センサ２００が配置されるようになっている。なお、ワープ通路１８、センサベース部材１００及び不正検知センサ２００の詳細については、後述する。
【００２１】
また、図３における左装飾部材２２と右装飾部材２３と上装飾部材２４については、装飾が施されるベース部分のみを図示し、装飾部分の図示を省略している。また、図２及び図３における遊技盤６については、装飾の一部の図示を省略している。また、裏箱部材２１、右装飾部材２３、上装飾部材２４については、前記した概略説明に留め、詳細な説明を省略する。
【００２２】
次に、本実施の形態の遊技盤６及び表示装置２０について、図２及び図３を用いて詳細に説明する。遊技盤６は、図２に示すように、透明な板状の遊技板６Ｋを備えた部材であり、この遊技板６Ｋにおける遊技者側の面である表面側に、遊技球が転動する領域である遊技領域６Ａが形成される部材である。遊技盤６は、窓枠３の後方であって、正面視で前枠２の下部を除く略全面に渡って配置されている。なお、遊技盤６の遊技領域６Ａは、窓枠３の窓枠開口部７の後方に配置され、前方から透明板８を介して視認可能に構成されている。
【００２３】
遊技板６Ｋには、図２に示すように、表面側に、外側ガイドレール６Ｂと内側ガイドレール６Ｃが固定されており、この外側ガイドレール６Ｂと内側ガイドレール６Ｃの間に、発射装置から発射された遊技球の発射通路６Ｄが区画形成されている。また、外側ガイドレール６Ｂ及び内側ガイドレール６Ｃで囲まれた内側領域に、遊技球が転動する遊技領域６Ａが区画形成されている。この遊技領域６Ａには、複数の遊技釘６Ｌが打ち込まれており、発射通路６Ｄを通して遊技領域６Ａ内に放出された遊技球は、遊技釘６Ｌに当りながら転動して遊技領域６Ａ内を流下し、最終的に後述する何れかの入賞口又は遊技領域６Ａの最下方に位置するアウト口６Ｅに入る転動遊技を行う。
【００２４】
遊技盤６の遊技領域６Ａのほぼ中央部の後方には、図２及び図３に示すように、液晶ディスプレイ型の表示装置２０が配置されており、正面視でこの表示装置２０を囲むように遊技板６Ｋに装飾枠６Ｆが配設されている。また、表示装置２０は、大当り遊技状態を発生させるか否かの判定結果に基づき変動演出表示を行う広い面積の表示画面２０Ａを有している。
【００２５】
また、図２に示すように、遊技領域６Ａ内において、装飾枠６Ｆの下方には、第一始動入賞口１５と第二始動入賞口１６が上下に配置されている。この第一始動入賞口１５と第二始動入賞口１６は、遊技球が入賞することによって、遊技者に有利な大当り遊技状態を発生させるか否かの判定を行う起点となるものであり、上方に開口して遊技球が入賞するように形成されている。
【００２６】
また、図２に示すように、第一始動入賞口１５及び第二始動入賞口１６の右方には、大入賞口１７が配置されている。この大入賞口１７は、駆動装置により開閉する開閉蓋１７Ａを備えている。この開閉蓋１７Ａは、遊技状態が大当り遊技状態になると可動し、その際には大入賞口１７が上方に向かってポケット状に幅広く開口し、多数の遊技球が同時かつ連続的に大入賞口１７に入賞可能となる。
【００２７】
また、図２に示すように、遊技領域６Ａ内の所定位置には、遊技球が入賞可能な一般入賞口１９が上方に開口するポケット状に形成されている（本実施の形態では、遊技領域６Ａの左下部に複数の一般入賞口１９が形成されている）。
【００２８】
また、図２に示すように、装飾枠６Ｆの左部には、装飾枠６Ｆの左方の遊技領域６Ａを転動する遊技球の一部が入球して通過するワープ通路１８のワープ入口１８Ａが設けられている。そして、遊技球は、装飾枠６Ｆの左方の遊技領域６Ａからワープ入口１８Ａに入球して、遊技板６Ｋの後方に配置されたワープ通路１８を通過した後、遊技球が第一始動入賞口１５に入賞し易い位置に誘導されるようになっている。
【００２９】
次に、左装飾部材２２、センサベース部材１００及び不正検知センサ２００について、図４〜図１１を用いて説明する。図４は、本実施の形態におけるパチンコ遊技機の左装飾部材２２の裏面図であり、図５は、図４からセンサベース部材１００を取り外した状態の裏面図である。図６は、本実施の形態におけるパチンコ遊技機のセンサベース部材１００の斜視図であり、図７は、同パチンコ遊技機のセンサベース部材１００の下部センサ取付部１２０に不正検知センサ２００を取り付けた状態の正面図であり、図８は、図７の裏面図であり、図９は、同パチンコ遊技機のセンサベース部材１００の右側面図である。図１０は、本実施の形態におけるパチンコ遊技機のセンサベース部材１００の上部センサ取付部１１０に不正検知センサ２００を取り付けた状態の正面図であり、図１１は、図１０の裏面図である。
【００３０】
本実施の形態の左装飾部材２２は、異なる機種間で共通使用可能となるように形成された遊技部品であり、図３に示した左装飾部材２２のベース部分に各機種に応じた装飾を施して使用するようになっている。また、この左装飾部材２２は、遊技盤ユニット５における発光演出装置２５の導光板２５Ａの上下方向の寸法と略同じ高さを有しており、導光板２５Ａの左端部に当接する位置に配置されている。また、この左装飾部材２２は、図２の遊技盤６の遊技領域６Ａに配置された装飾枠６Ｆの左部に設けられたワープ通路１８のワープ入口１８Ａの後方に重なる位置に、図５に示すようなセンサベース部材取付部２２Ａが配置されるようになっており、当該センサベース部材取付部２２Ａに、図４に示すように、センサベース部材１００が固定されるようになっている。また、センサベース部材１００には、不正検知センサ２００が取り付けられるようになっている。
【００３１】
本実施の形態の不正検知センサ２００は、ワープ通路１８のワープ入口１８Ａ付近に磁石が近づけられたか否かを検知する磁気センサである。このような磁気を検知する不正検知センサ２００により、遊技者が磁石を窓枠３の透明板８に近づけ、その磁気により遊技球を誘導したり滞留させたりすることで、遊技球をワープ通路１８のワープ入口１８Ａに入球させる不正行為を検知することができるものである。すなわち、このような磁気を検知する不正検知センサ２００により、通常よりも多くの遊技球が遊技領域６Ａからワープ通路１８を経由することで通常よりも多くの遊技球を第一始動入賞口１５に入賞させ易くする不正行為を検知することができるものである。この不正検知センサ２００は、図７に示すように、所定の制御基板と繋がる配線Ｋの先端のコネクタ２１０が不正検知センサ２００の差込部（図示省略）に差し込まれており、磁気を検知したときには、当該検知信号を制御基板に送信するように構成されている。
【００３２】
また、図５に示すように、左装飾部材２２のセンサベース部材取付部２２Ａの上下位置には、センサベース部材１００を取り付けるための取付孔２２Ｂ，２２Ｃが設けられており、この取付孔２２Ｂ，２２Ｃに後述するセンサベース部材１００の上下に配置された固定部１０１，１０２が対応するようになっている。そして、双方に図示しないネジを螺合させて、センサベース部材１００を左装飾部材２２の裏面のセンサベース部材取付部２２Ａに固定するようになっている。
【００３３】
また、センサベース部材１００は、前記した不正検知センサ２００を左装飾部材２２の裏面側に配置するための取付部材であり、図６及び図７に示すように、上部センサ取付部１１０と下部センサ取付部１２０の２箇所のセンサ取付部が上下方向に並んで配置されている。この上部センサ取付部１１０と下部センサ取付部１２０は、異なる機種間で不正検知センサ２００を取り付ける位置が変更される場合（例えば、図２に示すワープ通路１８のワープ入口１８Ａの位置が上下方向にずれてしまう場合等）に、当該不正検知センサ２００をどちらか一方に取り付けるように設けられているものである。
【００３４】
また、上部センサ取付部１１０には、前側に設けられたベース部１１４と対向するように後側の上下から突出する上部センサ押さえ部１１１と、下方から上方にフック形状に延びる上部センサ抜け止め部１１２が形成されている。また、下部センサ取付部１２０には、上部センサ取付部１１０と同様に、前側に設けられたベース部１２４と対向するように後側の上下から突出する下部センサ押さえ部１２１と、下方から上方にフック形状に延びる下部センサ抜け止め部１２２が形成されている。
【００３５】
そして、上部センサ取付部１１０に不正検知センサ２００を取り付ける際には、図１０の右側（図１１の左側）から上部センサ取付部１１０に不正検知センサ２００を挿入し、ベース部１１４と上部センサ押さえ部１１１との間に、不正検知センサ２００を滑り込ませる。そして、不正検知センサ２００の挿入方向の先端部が奥まで挿入されると、上部センサ抜け止め部１１２が不正検知センサ２００の挿入方向の後部の側面を係止するようになっており、当該上部センサ取付部１１０から抜け難く保持されるようになっている。
【００３６】
また、下部センサ取付部１２０に不正検知センサ２００を取り付ける際には、図７の右側（図８の左側）から下部センサ取付部１２０に不正検知センサ２００を挿入し、ベース部１２４と下部センサ押さえ部１２１との間に、不正検知センサ２００を滑り込ませる。そして、不正検知センサ２００の挿入方向の先端部が奥まで挿入されると、下部センサ抜け止め部１２２が不正検知センサ２００の挿入方向の後部の側面を係止するようになっており、当該下部センサ取付部１２０から抜け難く保持されるようになっている。
【００３７】
また、本実施の形態においては、上部センサ取付部１１０と下部センサ取付部１２０のうちの何れか一方のベース部（上部ベース部１１４又は下部ベース部１２４）に、取付阻止部として突起状に形成された上部取付阻止部１１５（図８）又は下部取付阻止部１２５（図１１）が設けられている。この取付阻止部１１５，１２５を、当該遊技機において不正検知センサ２００を取り付けるべきでない方のセンサ取付部に形成することで、物理的に不正検知センサ２００をセンサ取付部に挿入させることができなくなり、その結果、不正検知センサ２００の誤組みを防止することができる。
【００３８】
すなわち、不正検知センサ２００を下部センサ取付部１２０に取り付ける機種の場合には、図７〜図９に示すように、上部センサ取付部１１０に上部取付阻止部１１５が突出形成されていることで、作業者が不正検知センサ２００を上部センサ取付部１１０に取り付けようとしても、上部取付阻止部１１５によって当該不正検知センサ２００を取り付けることができず、不正検知センサ２００を、確実に、正しい取付位置である下部センサ取付部１２０に取り付けることができる。
【００３９】
他方、不正検知センサ２００を上部センサ取付部１１０に取り付ける機種の場合には、図１０及び図１１に示すように、下部センサ取付部１２０に下部取付阻止部１２５が突出形成されていることで、作業者が不正検知センサ２００を下部センサ取付部１２０に取り付けようとしても、下部取付阻止部１２５によって当該不正検知センサ２００を取り付けることができず、不正検知センサ２００を、確実に、正しい取付位置である上部センサ取付部１１０に取り付けることができる。
【００４０】
また、センサベース部材１００には、図６及び図７に示すように、上部センサ取付部１１０及び下部センサ取付部１２０に不正検知センサ２００を挿入する挿入方向の先端側に、不正検知センサ２００のコネクタ２１０から制御基板に繋がる配線Ｋを上下方向に通す配線溝１０３及び下部センサ取付部配線溝１２３が形成されている。このうち、図７及び図８に示すように、不正検知センサ２００が下部センサ取付部１２０に取り付けられているときには、コネクタ２１０から延びる配線Ｋは、下部センサ取付部１２０の下方を通って配線溝１０３を抜けて、図４に示すように、左装飾部材２２の下方に延びるように配置される。また、このとき、図７に示すように、下部センサ取付部配線溝１２３には、不正検知センサ２００の先端部分が挿入されて、当該下部センサ取付部配線溝１２３の不正検知センサ２００が挿入された一部分が埋められて、下部センサ取付部配線溝１２３の一部の深さが浅くなっているため、例え配線Ｋを通そうとしてもできない状態となる。
【００４１】
また、図１０及び図１１に示すように、不正検知センサ２００が上部センサ取付部１１０に取り付けられているときには、コネクタ２１０から延びる配線Ｋは、上部センサ取付部１１０と下部センサ取付部１２０の間を通って下部センサ取付部配線溝１２３を下方に抜け、さらにその下方の配線溝１０３を下方に抜けて、前記した場合と同様に、左装飾部材２２の下方に延びるように配置される。このとき、下部センサ取付部配線溝１２３には不正検知センサ２００が挿入されていないため、下部センサ取付部配線溝１２３に配線Ｋを挿通することができる深さを有しているものである。
【００４２】
そして、下部センサ取付部配線溝１２３は、下部センサ取付部１２０に不正検知センサ２００を挿入した際にセンサが達する位置と前後方向で重なる位置に形成されており、このように下部センサ取付部１２０と下部センサ取付部配線溝１２３とが空間を共有して重なるように形成されている。すなわち、不正検知センサ２００を上部センサ取付部１１０に取り付ける機種の場合には、下部センサ取付部１２０は基本的に使用しない無駄なスペースとなる場合が多いと言えるが、その下部センサ取付部１２０のスペースの一部である下部センサ取付部配線溝１２３を利用することができるように、センサベース部材１００が構成されていることで、センサベース部材１００内の空間を有効に利用して、センサベース部材１００を小型化することができる。
【００４３】
また、このセンサベース部材１００を左装飾部材２２に配置する際には、まず、上部センサ取付部１１０又は下部センサ取付部１２０の何れか一方（取付阻止部１１５，１２５が形成されていない方のセンサ取付部１１０，１２０）に不正検知センサ２００を取り付け、コネクタ２１０から延びる配線Ｋを配線溝１０３（上部センサ取付部１１０に取り付けた場合は、下部センサ取付部配線溝１２３及び配線溝１０３）に沿わせる。その上で、図４に示すように、配線Ｋが左装飾部材２２とセンサベース部材１００との間に収容されるように、配線溝１０３，１２３を前方（左装飾部材２２側）に向けてセンサベース部材１００を左装飾部材２２に取り付け、ネジで固定する。センサベース部材１００を左装飾部材２２に対してこのように取り付ける構成となっていることで、配線Ｋを双方の間に収容し、その結果、左装飾部材２２の裏箱部材２１への組付け時等に、配線Ｋが他の遊技部品に引っ掛かったり、挟まれたりすることを防止することができるものである。
【００４４】
また、本実施の形態では、上部センサ取付部１１０と上部取付阻止部１１５（又は、下部センサ取付部１２０と下部取付阻止部１２５）は樹脂で一体成形されている。また、上部取付阻止部１１５と下部取付阻止部１２５は、上部センサ取付部１１０及び下部センサ取付部１２０の成形時に、金型における入れ子を移動させるだけの金型操作で、上部センサ取付部１１０と下部センサ取付部１２０のうちの何れに設けるかが決定されるようになっており、その上部センサ取付部１１０又は下部センサ取付部１２０と一体成形されるようになっている。そのため、上部取付阻止部１１５を有するセンサベース部材１００を製造する場合と、下部取付阻止部１２５を有するセンサベース部材１００を製造する場合とで、共通の金型を使用して製造することができる。
【００４５】
以上のように、本実施の形態のパチンコ遊技機（遊技機）は、異なる機種間で共通使用可能な左装飾部材（遊技部品）２２と、該左装飾部材（遊技部品）２２に取り付けられたセンサベース部材１００に取り付けられ、遊技者による所定の不正行為を検知する不正検知センサ２００とを備え、前記左装飾部材（遊技部品）２２に取り付けられた前記センサベース部材１００には、前記不正検知センサ２００を取り付け可能なセンサ取付部１１０，１２０が複数設けられており、該複数の前記センサ取付部１１０，１２０のうちの前記不正検知センサ２００を取り付けるべきでない前記センサ取付部１１０，１２０に対する前記不正検知センサ２００の取り付けを阻止する取付阻止部１１５，１２５が設けられたパチンコ遊技機（遊技機）としたことを特徴とする。
【００４６】
そして、本実施の形態によれば、異なる機種間で共通使用可能な左装飾部材（遊技部品）２２に取り付けられたセンサベース部材１００に不正検知センサ２００を取り付けるときに、異なる機種間で不正検知センサ２００の配置位置が変わってもそれに合わせて不正検知センサ２００の取付位置を変えることができるように複数の取付位置（センサ取付部１１０，１２０）を備えており、かつ、当該複数の取付位置（センサ取付部１１０，１２０）のうちのその機種で取り付けるべき位置に確実に不正検知センサ２００を取り付けることができる。
【００４７】
また、本実施の形態のパチンコ遊技機（遊技機）は、前記した構成に加えて、前記センサ取付部１１０，１２０及び前記取付阻止部１１５，１２５は樹脂で一体形成されたことを特徴とする。
【００４８】
そして、本実施の形態によれば、センサ取付部１１０，１２０と取付阻止部１１５，１２５が樹脂で一体形成されており、センサ取付部１１０，１２０を成形するための金型を操作することで、複数箇所のセンサ取付部１１０，１２０のうちの何れのセンサ取付部１１０，１２０に取付阻止部１１５，１２５を設けるかを変更可能となっているため、金型を取付阻止部１１５，１２５の位置が異なる機種間で共通化して左装飾部材（遊技部品）２２に取り付けられるセンサベース部材１００を製造することができる。
【００４９】
なお、以上説明した実施の形態は、本発明の理解を容易にするために記載されたものであって、本発明を限定するために記載されたものではない。
【００５０】
例えば、前記した実施の形態では、パチンコ遊技機を用いて説明したが、これに限るものではなく、本発明は、パチスロ遊技機や雀球遊技機、アレンジボール等の他の遊技機にも適用可能である。
【００５１】
また、前記した実施の形態では、上部取付阻止部１１５と下部取付阻止部１２５は、突起状に形成された部位であったが、これに限るものではない。例えば、突起以外の壁部のようなものが上部センサ取付部１１０又は下部センサ取付部１２０の入口を塞いでいて、不正検知センサ２００を挿入できない構造になっていたり、上部センサ取付部１１０又は下部センサ取付部１２０の全体又は一部が樹脂で埋められて、物理的に不正検知センサ２００を取り付けられない構造になっていたりする等、不正検知センサ２００が取り付けられないものとなっていれば、適宜の構成で良い。
【００５２】
また、前記した実施の形態では、不正検知センサ２００として磁気センサが使用され、この磁気センサが左装飾部材２２におけるワープ通路１８のワープ入口１８Ａ付近に配置されるようになっていたが、これに限るものではなく、例えば、電波又は振動を検知するセンサなどの磁気センサ以外の不正検知センサを配置する遊技部品にも本願発明を適用可能であり、また、他の装飾部材や装飾部材以外の遊技部品に不正検知センサを配置する場合にも本願発明を適用可能である。
【００５３】
また、前記した実施の形態では、センサベース部材１００には上部センサ取付部１１０と下部センサ取付部１２０の２箇所のセンサ取付部が設けられるようになっていたが、これに限るものではなく、センサ取付部は３箇所以上設けられていても良い。また、複数のセンサ取付部は、上下方向に並んでいなくても良く、左右方向や前後方向に並んでいても良いし、必ずしも一方向に並んでいなくても良い。さらに、センサベース部材自体を設置する位置が装飾部材等の遊技部品の複数箇所に設けられていても良い。また、センサベース部材を有しておらず、装飾部材等の遊技部品に直接、複数のセンサ取付部と取付阻止部が設けられた構成となっていても良い。
【００５４】
また、前記した実施の形態では、左装飾部材（遊技部品）２２に取り付けられたセンサベース部材１００に取付阻止部１１５，１２５が設けられていたが、これに限るものではなく、センサベース部材を有する構成であっても当該センサベース部材を取り付ける遊技部品に取付阻止部が設けられていても良い。例えば、センサベース部材の複数のセンサ取付部のうちの不正検知センサを取り付けるべきでないセンサ取付部付近の遊技部品に、突起状等の取付阻止部が設けられており、当該取付阻止部により不正検知センサのセンサ取付部に対する取り付け方向への移動を阻止するようになっている場合が挙げられる。
【００５５】
また、前記した実施の形態では、異なる機種間で共通使用される左装飾部材（遊技部品）２２に、センサ取付部１１０，１２０と取付阻止部１１５，１２５を有するセンサベース部材１００が取り付け可能となっていたが、これに限るものではなく、同一機種の異なる遊技部品にセンサベース部材が取り付け可能となっていても良い。例えば、センサベース部材が左装飾部材だけでなく、右装飾部材にも取り付け可能となっており、必要な側にセンサベース部材及び不正検知センサが取り付けられるようになっている場合が挙げられる。また、共通のセンサベース部材が取り付け可能な左装飾部材と右装飾部材等の同一機種の異なる遊技部品が、さらに異なる機種間で共通使用可能となっていても良い。
【符号の説明】
【００５６】
２２…左装飾部材（遊技部品）、１１０…上部センサ取付部（センサ取付部）、１１５…上部取付阻止部（取付阻止部）、１２０…下部センサ取付部（センサ取付部）、１２５…下部取付阻止部（取付阻止部）、２００…不正検知センサ
【図１】
2015073668.tif 000003
【図２】
2015073668.tif 000004
【図３】
2015073668.tif 000005
【図４】
2015073668.tif 000006
【図５】
2015073668.tif 000007
【図６】
2015073668.tif 000008
【図７】
2015073668.tif 000009
【図８】
2015073668.tif 000010
【図９】
2015073668.tif 000011
【図１０】
2015073668.tif 000012
【図１１】
2015073668.tif 000013